(57)【要約】【課題】  成形部に潤滑剤を均等に付着することができる粉末成形体の成形方法とその製造装置を提供する。【解決手段】  ダイ２に形成した成形部６に噴霧部12から潤滑剤の水溶液Ｌを噴霧した後、原料粉末Ｍを成形部６に充填し、充填した原料粉末Ｍを圧縮して粉末成形体101を成形する。噴霧部12から水溶液Ｌを渦流状に噴霧するから、成形部６の細部に水溶液Ｌの噴霧液Ｆが行き渡り、水溶液Ｌを均一に付着させることができる。また、粉末成形体101の形状により、渦流状の噴霧の回転方向を変えることにより、一層、均一な噴霧が可能となる。【選択図】図１
2006257535.tif 000002
【特許請求の範囲】
【請求項１】
成形型本体に形成した成形部に噴霧部から潤滑液を噴霧し、原料粉末を前記成形部に充填し、この充填した原料粉末を圧縮して粉末成形体を成形する粉末成形体の成形方法において、前記噴霧部から潤滑液を渦流状に噴霧することを特徴とする粉末成形体の成形方法。
【請求項２】
前記成形部は、外側の内周面から外方に突出する突出部成形部を有すると共に、この突出部成形部の先端側が周方向一側にあり、前記渦流状の噴霧の回転方向を前記一側の方向とすることを特徴とする請求項１記載の粉末成形体の成形方法。
【請求項３】
前記成形部は、外側の外周面から内方に突出する突出部成形部を有すると共に、この突出部成形部の先端側が周方向一側にあり、前記渦流状の噴霧の回転方向を前記一側の方向とすることを特徴とする請求項１記載の粉末成形体の成形方法。
【請求項４】
前記渦流状の噴霧の回転方向を変えることを特徴とする請求項１〜３のいずれか１項に記載の粉末成形体の成形方法。
【請求項５】
成形型本体に形成した成形部に噴霧部から潤滑液を噴霧し、原料粉末を前記成形部に充填し、この充填した原料粉末を圧縮して粉末成形体を成形する粉末成形体の製造装置において、前記噴霧部は潤滑液を渦流状に噴霧し、回転方向が異なる前記渦流状の噴霧を行うことを特徴とする粉末成形体の製造装置。
【発明の詳細な説明】
【技術分野】
【０００１】
本発明は、粉末成形金型の成形部に潤滑液を噴霧し、原料粉末を成形部に充填して成形する粉末成形体の成形方法に関する。
【背景技術】
【０００２】
焼結部品の製造に用いる圧粉体は、Ｆｅ系、Ｃｕ系等といった原料粉末を成形型内で加圧成形することにより形成され、この後焼結の工程を経て焼結体を作製する。そして、成形工程では、成形型を用いてプレスで加圧して成形体を成形する。このプレスのときには、成形体と成形型との間には摩擦が発生する。このため粉末混合時にステアリン酸亜鉛、ステアリン酸カルシウム、ステアリン酸リチウム等の、水に不溶性の脂肪酸系潤滑剤を添加し、潤滑性を付与している。
【０００３】
しかしながら、このような原料粉末に潤滑剤を混合する方法では成形体の密度を向上するには限界がある。そこで、高密度の成形体を得るために、原料粉末に添加する潤滑剤を減らし、成形型に、原料粉末に添加するものと同一の潤滑剤を塗付し、潤滑性の不足を補うことができる粉末成形体の成形方法が提案されており、潤滑剤をスプレーガンで吹き付けて塗布するようにしている（例えば、特許文献１参照。）。
【０００４】
この従来の成形方法は、加熱された金型の内面に、水に分散されている高級脂肪酸系潤滑剤を塗布する塗布工程と、前記金型に金属粉末を充填し、前記高級脂肪酸系潤滑剤が該金属粉末と化学的に結合して金属石鹸の被膜を生成する圧力で該金属粉末を加圧成形する加圧成形工程とを含む粉末成形体の成形方法であって、加熱され、内面にステアリン酸リチウムのような高級脂肪酸系潤滑剤が塗布された金型を用いて、この金型に加熱された金属粉末を充填して、この金属粉末と高級脂肪酸系潤滑剤とが化学的に結合して金属石鹸の被膜が生成される圧力でこの金属粉末を加圧成形すると、金属石鹸の被膜が金型の内面表面に生じ、その結果金属粉末の成形体と金型との間の摩擦力が減少し、成形体を抜出する圧力が少なくて済むことができるというものである。
【０００５】
また、成形金型の成形部からの粉末成形体の抜出圧力を低減すると共に、粉末成形体の密度を向上するため、加熱手段を備えた成形部に、潤滑剤の水に溶解した溶液又は潤滑剤を水に分散して分散液を前記成形部に向けて噴霧部から噴射して付着させ、前記溶液の水分又は分さ液の水分を蒸発させて前記成形部に潤滑層を形成して、原料粉末を充填し、その後パンチを抜き出す粉末成形体の成形方法が知られている（例えば、特許文献２，３）。
【０００６】
上記各特許文献の従来技術においては、スプレーを用いることにより、潤滑剤を効率よく成形部内に付着することができる。
【０００７】
ところで、図１２は、製品形状をなす粉末成形体101の一例を示し、同図に示す製品は回転体であり、その粉末成形体101の外周には突出部102があり、この突出部102の先端103は周方向一側に向いて位置している。そして、図１３に示すように、前記粉末成形体101を成形する成形用金型110には、その粉末成形体101と同形の成形部111が形成され、この成形部111には前記突出部102と先端103に対応する突出部成形部112と先端成形部113とを有する。
【特許文献１】特許第３３０９９７０号公報（段落0012，0013，0028）
【特許文献２】特開２００４−１６７５８２号公報
【特許文献３】特開２００４−２９８８９２号公報
【発明の開示】
【発明が解決しようとする課題】
【０００８】
上記図１３のように、突出部成形部112を有する成形部111に、該成形部111の中央上部に配置した噴射部から潤滑液を噴霧した場合、噴霧液が突出部成形部112の内部に届き難く、突出部成形部112の内面に潤滑液を均等に付着することができないため、潤滑液の付着量にむらが発生し易いという問題がある。
【０００９】
そこで、本発明は、成形部に潤滑剤を均等に付着することができる粉末成形体の成形方法とその製造装置を提供することを目的とする。
【課題を解決するための手段】
【００１０】
請求項１の発明は、成形型本体に形成した成形部に噴霧部から潤滑液を噴霧し、原料粉末を前記成形部に充填し、この充填した原料粉末を圧縮して粉末成形体を成形する粉末成形体の成形方法において、前記噴霧部から潤滑液を渦流状に噴霧する粉末成形体の成形方法である。
【００１１】
また、請求項２の発明は、前記成形部は、外側の内周面から外方に突出する突出部成形部を有すると共に、この突出部成形部の先端側が周方向一側にあり、前記渦流状の噴霧の回転方向を前記一側の方向とする粉末成形体の成形方法である。
【００１２】
また、請求項３の発明は、前記成形部は、内側の外周面から内方に突出する突出部成形部を有すると共に、この突出部成形部の先端側が周方向一側にあり、前記渦流状の噴霧の回転方向を前記一側の方向とする粉末成形体の成形方法である。
【００１３】
また、請求項４の発明は、前記渦流状の噴霧の回転方向を変える粉末成形体の成形方法である。
【００１４】
請求項５の発明は、成形型本体に形成した成形部に噴霧部から潤滑液を噴霧し、原料粉末を前記成形部に充填し、この充填した原料粉末を圧縮して粉末成形体を成形する粉末成形体の製造装置において、前記噴霧部は潤滑液を渦流状に噴霧し、回転方向が異なる前記渦流状の噴霧を行うものである。
【発明の効果】
【００１５】
請求項１の構成によれば、渦流状に噴霧することにより、成形部の細部に潤滑液の噴霧液が行き渡り、潤滑液を均一に付着させることができる。
【００１６】
また、請求項２の構成によれば、渦流状の噴霧の回転方向が突出部成形部の先端側の方向となり、前記突出部成形部の先端側に噴霧液が行き渡り、付着量のむらの少ない噴霧を行うことができる。
【００１７】
また、請求項３の構成によれば、渦流状の噴霧の回転を両方向で行うことにより、一層、潤滑液を均一に付着させることができる。
【００１８】
請求項４の構成によれば、渦流状の噴霧の回転を両方向で行うことにより、潤滑液を均一に付着させることができ、成形体の抜出などを良好に行うことができる。
【発明を実施するための最良の形態】
【００１９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な粉末成形体の成形方法とその製造装置を採用することにより、従来にない粉末成形体の成形方法とその製造装置が得られ、その粉末成形体の成形方法とその製造装置について記述する。
【実施例１】
【００２０】
以下、本発明の実施例１を図１〜図５を参照して説明する。図１は第１工程を示しており、同図において、この成形金型１は、上下方向を軸方向（プレス上下軸方向）としており、成形型本体たるダイ２、コアロッド３、下パンチ４および上パンチ５を備えている。ダイ２はほぼ円筒形状で、このダイ２内にほぼ円柱形状のコアロッド３が同軸的に位置している。下パンチ４は、ほぼ円筒形状で、ダイ２およびコアロッド３間に下方から上下動自在に嵌合している。上パンチ５は、ほぼ円筒形状で、ダイ２およびコアロッド３間に上方から上下動自在にかつ挿脱自在に嵌合するものである。
【００２１】
この例の粉末成形体101は、上記図１２に示したように、周囲に４箇所の突出部102を有する回転体であり、それら突出部102は略Ｌ字状をなし、該突出部102の先端103は、周方向一側（図１２では、時計回り方向）に向いて位置している。尚、図２には、粉末成形体101の平面図を示す。尚、前記粉末成形体101を焼結した焼結体である製品は、一側に回転すると、突出部102が他に係合し、他方に回転すると他と係合しないものであり、例えば、クラッチの部品などとして用いられる。
【００２２】
そして、図３の成形装置の平面図に示すように、ダイ２とコアロッド３と下パンチ４との間に、粉末成形体101の成形部６が形成され、前記ダイ２の内周面７は、成形部６の外周部を形成するものであって、突出部102と先端103を形成する突出部成形部61と先端成形部62とが設けられている。また、前記コアロッド３の外周面８は、前記粉末成形体101の中央の貫通孔104を形成する。
【００２３】
さらに、ダイ２の上面２Ａに原料粉末Ｍを供給する原料供給体たるフィーダー11が、該上面２Ａに摺動自在に設けられている。さらに、成形部６の開口部６Ａの上方に後述する潤滑剤の水溶液Ｌを噴霧して水溶液Ｌを成形部６に付着する付着手段たる噴霧部12が設けられており、該噴霧部12は開口部６Ａに臨むように設けられると共に、水溶液Ｌのタンク16に自動開閉弁（図示せず）を介して接続されている。また、成形部６の周囲にヒータ13と温度検出部14が設けられ、そして、これらヒータ13と温度検出部14は温度制御手段たる温度制御装置15に接続され、該温度制御装置15により成形部６の温度を水溶液Ｌの蒸発温度より高く、かつ潤滑剤の溶融温度よりも低く制御するようになっている。
【００２４】
また、前記噴霧部12は、噴出口12Ａから、潤滑剤の水溶液Ｌの噴霧液Ｆを、渦流状に旋回流動させながら霧状に噴出し、例えば、噴出口12Ａの手前に水溶液Ｌに旋回流を与える旋回室や旋回溝を設けて噴霧液Ｆを渦流状に噴霧するものや、複数の噴出口12Ａ，12Ａ…を中心軸の同心円上に配置すると共に、それら噴出口12Ａ，12Ａを中心軸に対して斜設し、噴霧液Ｆを渦流状に噴霧するものなどを用いることができ、前記噴霧部12から、噴霧液Ｆが噴霧角度θで下方に円錐状で矢印Ｙに示す渦流状に噴霧される。また、この例では、成形部６の先端103は、平面視で、周方向一側に向いて位置しているから、矢印Ｙで示す渦流の方向は噴霧方向に対して時計回り方向としている。
【００２５】
前記フィーダー11は駆動手段41によりダイ２の上面２Ａを摺動して前記成形部６の開口部６Ａに進退し、そのフィーダー11の進行方向の前方上方に、取付部材42を介して、前記噴霧部12を設ける。
【００２６】
そして、第１工程においては、予め温度制御装置15により制御されたヒータ７の熱により成形部６の面は水溶液Ｌの蒸発温度より高く、かつ潤滑剤の溶融温度よりも低く設定されている。そして、駆動手段42によりフィーダー11を前進し、噴霧部12を開口部６Ａにあわせた位置で停止し、ダイ２に下パンチ４が嵌合して成形部６が形成されている状態で、自動開閉弁を開いて噴霧部12より、２０℃における１００ｇの水に対する溶解度が３ｇ以上の水溶性潤滑剤を水に溶解した水溶液Ｌを、ヒータ13により加熱された成形部６に吹き付けて付着させる。
【００２７】
噴霧部12からは、図１及び図３に示すように、前記水溶液Ｌが霧状に噴霧された噴霧液Ｆが、噴射方向である下方に向って、矢印Ｙに示す渦流となって噴射される。このように渦流状で噴霧することにより、成形部６の形状が比較的複雑であっても、その内部に噴霧液Ｆが行き渡り、特に、先端103の方向と同一方向の渦流状に噴霧することにより、突出部102の先端103側にも噴霧液Ｆが行き渡り、付着量のむらの少ない噴霧を行うことができる。
【００２８】
このように成形部６に付着させた水溶液Ｌは蒸発、乾燥して成形部６の面には結晶が成長して前記潤滑剤の晶出層Ｂが均一に形成される。２０℃における１００ｇの水に対する溶解度が３ｇ以上の水溶性潤滑剤を使用するのは、常温付近で水溶液に沈殿物が生じる恐れがあると、噴霧部12による付着を行なう場合、噴霧部12が詰まる等の不具合が発生するためである。一方、例えば、ステアリン酸ナトリウム、パルミチン酸ナトリウム、ミリスチン酸ナトリウム、ラウリン酸ナトリウムの成分が含まれる通常の高級脂肪酸系の石鹸類は水溶液を高温にしなければ１００ｇの水に対する３ｇ以上の溶解度が得られない。
【００２９】
次に、図４の第２工程に示すように、フィーダー11が前進して原料粉末Ｍを成形部６に落下させて充填する。次に、駆動手段41によりフィーダー11が後退し、噴霧部12が開口部６Ａより後方に後退して停止し、図５の第３工程に示すように、成形部６の開口部６Ａに上方から上パンチ５を挿入し、上パンチ５と下パンチ４とで挟むようにして原料粉末Ｍを圧縮する。この時、下パンチ４は、下端が固定されており動かないようになっている。そして、この第３工程において、原料粉末Ｍは、潤滑剤により形成されている晶出層Ｂに潤滑状態で圧縮される。尚、前記上パンチ５を成形部６に挿入する前に、ダイ２を下方に移動させるようにしてもよい。
【００３０】
このように加圧成形された粉末成形体101は、ダイ２とコアロッド３が下方に下がり、あるいは下パンチ４が上昇し下パンチ４の上面がダイ２の上面２Ａと略同じ高さになったとき取出し可能となる。この取り出しの際においても、潤滑剤により形成されている晶出層Ｂに粉末成形体101は潤滑状態で接触する。このようにして、粉末成形体101が取出された後、再び第１工程に戻って再び成形部６に水溶液Ｌが噴霧されて晶出層Ｂが形成された後に、原料粉末Ｍが成形部６に充填されるものである。
【００３１】
次に、水溶性の良いものとして20℃における１００ｇの水に対する溶解度が３ｇ以上とする点について説明する。各種脂肪酸石けんにおける溶解度では、普通の動物油や植物油から作る混合石鹸やその主要成分は、いずれも常温では非常に水に対する溶解度が低く、水に溶解してもしばらくすると沈殿物が生成しやすく、常温で通常使用される温度である２０℃付近では、沈殿物を生じ、噴霧部に詰まりが生じる等の不都合が発生するため、これらの成分が含まれない様な溶解度が最低限必要であるとの認識から２０℃における１００ｇの水に対する溶解度が３ｇ以上としたものである。
【００３２】
このように本実施例では、請求項１に対応して、成形型本体たるダイ２に形成した成形部６に噴霧部12から潤滑液たる潤滑剤の水溶液Ｌを噴霧し、原料粉末Ｍを成形部６に充填し、上パンチ５を成形部６に嵌合し、充填した原料粉末Ｍを上，下パンチ５，４で圧縮して粉末成形体101を成形する粉末成形体の成形方法において、噴霧部12から水溶液Ｌを渦流状に噴霧するから、成形部６の細部に水溶液Ｌの噴霧液Ｆが行き渡り、水溶液Ｌを均一に付着させることができる。
【００３３】
また、このように本実施例では、請求項２に対応して、成形部６は、外側の内周面７から外方に突出する突出部成形部61を有すると共に、この突出部成形部61の先端である先端部成形部62側が円周方向である周方向一側にあり、渦流状の噴霧の回転方向を前記一側の方向とするから、渦流状の噴霧の回転方向が突出部成形部61の先端側の方向となり、突出部成形部61の先端側に噴霧液Ｆが行き渡り、付着量のむらの少ない噴霧を行うことができる。
【００３４】
また、実施例上の効果として、開口部６Ａの上部略中央に設けた１つの噴霧部12により、効率のよい噴霧を行うことができる。
【実施例２】
【００３５】
図６及び図７は、本発明の実施例２を示し、上記各実施例と同一部分に同一符号を付し、その詳細な説明を省略して詳述すると、この例の装置は、回転方向が異なる渦流状の噴霧を行うことができ、噴霧部12は、噴霧液Ｆの回転方向を切り換える切替手段51を備え、この切替手段51は電動などにより、噴出口12Ａの手前における潤滑剤の水溶液Ｌに旋回流の向きを変えるなどして渦流の回転方向を切り換えるものである。また、噴霧部12のノズル部分を着脱可能に構成し、異なる回転方向を与えるノズル部分を交換して渦流状の噴霧の回転方向を変えるようにしてもよい。
【００３６】
図７は、製品形状をなす粉末成形体101Ａの他の例を示し、同図に示すように、製品は回転体であり、粉末成形体101Ａの外周には突出部102があり、この突出部102の先端103Ｒは周方向他側に向いて位置している。
【００３７】
したがって、この例では、渦流状の噴霧の回転方向を矢印Ｙ´で示す他側の方向とすることにより、周方向他側に向いて位置する先端成形部62内に水溶液Ｌを均一に付着させることができる。また、矢印Ｙ´で示す渦流状の回転方向（図７の平面視で反時計回り方向）で噴霧を行い、さらに、逆の方向の矢印Ｙで示した渦流状の回転方向を噴霧を行うことがより好ましい。
【００３８】
このように本実施例では、突出部成形部61の先端側が周方向他側にあり、前記渦流状の噴霧の回転方向を前記他側の方向とするから、請求項１又は２に対応して、上記実施例１と同様な作用・効果を奏する。
【００３９】
また、このように本実施例では、請求項４に対応して、前記渦流状の噴霧の回転方向を変えるから、渦流状の噴霧の回転を両方向で行うことにより、一層、水溶液Ｌを均一に付着させることができる。
【００４０】
また、このように本実施例では、請求項５に対応して、成形型本体たるダイ２に形成した成形部６に噴霧部12から潤滑液たる潤滑剤の水溶液Ｌを噴霧し、原料粉末Ｍを成形部６に充填し、この充填した原料粉末Ｍを圧縮して粉末成形体101を成形する粉末成形体の製造装置において、噴霧部12は水溶液Ｌを渦流状に噴霧し、回転方向が異なる前記渦流状の噴霧を行うから、渦流状の噴霧の回転を両方向で行うことにより、水溶液Ｌを均一に付着させることができ、成形体101の抜出などを良好に行うことができる。
【実施例３】
【００４１】
図８及び図９は、本発明の実施例３を示し、上記各実施例と同一部分に同一符号を付し、その詳細な説明を省略して詳述すると、この例の装置は、前記取付部材９に２つの前記噴霧部12，12を設け、これら噴霧部12，12は相互に渦流状の噴霧の回転方向の異なるものであり、移動手段52により取付部材42の下部に移動可能に設けられている。尚、この例では、噴霧部12，12を移動手段52に取付け、この移動手段52が取付部材42に対して移動可能に設けられ、これにより噴霧部12，12がフィーダー11の移動方向に対して交差方向に移動する。
【００４２】
そして、成形する粉末成形体101，101Ａにより、適した渦流状の噴霧の回転方向の噴霧部12，12を、移動手段52により成形部６の上の中心に位置させ、噴霧を行う。
【００４３】
あるいは、一方の噴霧部12による噴霧を行った後、移動手段52により他方の噴霧部12による噴霧を行うことにより、両回転方向の渦流状の噴霧で水溶液Ｌを成形部６に供給できる。
【００４４】
このように本実施例では、請求項１，２，４，５に対応して、上記実施例１と同様な作用・効果を奏し、また、この例では、異なる回転方向の渦流状の噴霧を行う噴霧部12，12を用いるから、汎用の噴霧部12，12を用いて両方向の回転の過流状噴霧を行うことができる。
【実施例４】
【００４５】
図１０は、本発明の実施例４を示し、上記各実施例と同一部分に同一符号を付し、その詳細な説明を省略して詳述すると、この例の粉末成形体101Ｂは、突出部102は、略十字状をなし、周方向一側に向いた先端103と、周方向他側に向いた先端103Ｌと、外側に突出した先端103Ｔとを備え、成形部６の突出部成形部62は、それら先端103，103Ｌ，103Ｔを成形する部分を有する。
【００４６】
そして、この例では、上記実施例２又は３で示した装置を用い、矢印Ｙ，Ｙ´で示すように、渦流状の噴霧の回転を両方向で行うことにより、成形部６において両側の先端103，103Ｌを形成する部分に水溶液Ｌを均一に付着させることができる。
【実施例５】
【００４７】
図１１は、本発明の実施例５を示し、上記各実施例と同一部分に同一符号を付し、その詳細な説明を省略して詳述すると、この例の粉末成形体は、内周面から内側に突出する突出部を有し、その先端が周方向一側に向けており、その粉末成形体を成形するダイ２の平面図が図１１である。
【００４８】
このように本実施例では、請求項３に対応して、成形部６は、内側の外周面８から内方に突出する突出部成形部61を有すると共に、この突出部成形部61の先端である先端部成形部62側が円周方向である周方向一側にあり、渦流状の噴霧の回転方向を前記一側の方向とするから、渦流状の噴霧の回転方向が突出部成形部61の先端側の方向となり、突出部成形部61の先端側に噴霧液Ｆが行き渡り、付着量のむらの少ない噴霧を行うことができる。
【００４９】
尚、この例においても、上記実施例１〜４と同様な構成を採用することができ、例えば、先端部成形部62の向きを周方向他側にしたり、１つの突起部成形部61に、周方向一側に向いた先端部成形部62と周方向他側に向いた先端部成形部62を設け、これらに対応して、上記実施例１〜４と同様に、前記渦流状の噴霧の回転方向を選択すればよい。
【００５０】
尚、本発明は上記実施形態に限定されるものではなく、本発明の要旨の範囲内において、種々の変形実施が可能である。例えば、潤滑液は実施例に限定されず各種のものを用いることができる。また、前記実施形態においては前記原料粉末を充填する前に、前記水溶液を前記成形部に付着させ、該水溶液を蒸発させて前記成形部に晶出層を形成した後にパンチを前記成形部に嵌合して粉末成形体を成形するものであるが、前記原料粉末を充填する前に必ず水溶液を前記成形部に付着させ、該水溶液を蒸発させて前記成形部に晶出層を形成する必要はなく、例えば始めの粉末成形体の成形後に、水溶液を前記成形部に付着させずに始めの晶出層を利用してそのまま原料粉末を充填して次の成形を行い、次に３回目の原料粉末を充填する前に水溶液を前記成形部に付着させ、該水溶液を蒸発させて前記成形部に２回目の晶出層を形成するように断続的な連続により水溶液を前記成形部に付着させるようにしてもよい。また、噴射部は各種のものを用いることができ、さらに、渦流状の噴霧の回転方向を切り換える手段は、各種の手段を用いることができる。また、粉末成形体の外周及び内周は、円形に限らず、角形でもよい。また、先端103を有する突起部102と、先端103Ｒを有する突起部102を有する粉末成形体の製造においては、渦流状の噴霧の回転を両方向で行うことが好ましい。
【図面の簡単な説明】
【００５１】
【図１】本発明の実施例１を示す第１工程の断面図である。
【図２】同上、粉末成形体の平面図である。
【図３】同上、成形型本体の平面図である。
【図４】同上、第２工程の断面図である。
【図５】同上、第３工程の断面図である。
【図６】本発明の実施例２を示す成形型本体の平面図である。
【図７】同上、粉末成形体の斜視図である。
【図８】本発明の実施例３を示す断面図であり、左側の噴霧部からの噴霧状態を示す。
【図９】同上、右側の噴霧部からの噴霧状態を示す。
【図１０】本発明の実施例４を示す成形型本体の平面図である。
【図１１】本発明の実施例５を示す成形型本体の平面図である。
【図１２】粉末成形体の斜視図である。
【図１３】図１２の粉末成形体を成形する成形部の平面図である。
【符号の説明】
【００５２】
２  ダイ（成形型本体）
６  成形部
８  外周面
11  フィーダー（原料供給体）
12  噴霧部
61  突出部成形部
62  先端成形部
101，101Ａ，101Ｂ  粉末成形体
102  突出部
103，103Ｌ  先端
Ｍ  原料粉末
Ｌ  水溶液
Ｆ  噴霧液
【図１】
2006257535.tif 000003
【図２】
2006257535.tif 000004
【図３】
2006257535.tif 000005
【図４】
2006257535.tif 000006
【図５】
2006257535.tif 000007
【図６】
2006257535.tif 000008
【図７】
2006257535.tif 000009
【図８】
2006257535.tif 000010
【図９】
2006257535.tif 000011
【図１０】
2006257535.tif 000012
【図１１】
2006257535.tif 000013
【図１２】
2006257535.tif 000014
【図１３】
2006257535.tif 000015